(57)【特許請求の範囲】
【請求項１】
時計回路を備える電子機器を遠隔制御する遠隔制御装置において、
前記時計回路が示す時刻のリセット操作を行うためのリセットモードの選択を受け付ける受付手段、
前記リセットモードの選択に応答して前記電子機器とプロトコルを確立する確立手段、
前記時計回路が示す時刻のリセットを要求するリセットコマンドを前記リセット操作に応答して前記電子機器に送信するリセットコマンド送信手段、および
前記確立手段による前記プロトコルの確立から前記リセット操作までの期間に前記プロトコルの維持を要求する維持コマンドを前記電子機器に繰り返し送信する維持コマンド送信手段を備えることを特徴とする、遠隔制御装置。
【請求項２】
時計回路を備える電子機器を遠隔制御する制御方法であって、
(a) 前記時計回路が示す時刻のリセット操作を行うためのリセットモードが選択されたときに前記電子機器とプロトコルを確立し、
(b) 前記時計回路が示す時刻のリセットを要求するリセットコマンドを前記リセット操作に応答して前記電子機器に送信し、そして
(c) 前記プロトコルの確立から前記リセット操作までの期間に前記プロトコルの維持を要求する維持コマンドを前記電子機器に繰り返し送信する、電子機器の制御方法。
【発明の詳細な説明】
【０００１】
【産業上の利用分野】
この発明は遠隔制御装置およびそれに制御される電子機器ならびにその制御方法に関し、特にたとえばカジノやビルディングの監視システムに適用される、遠隔制御装置およびそれに制御される電子機器ならびにその制御方法に関する。
【０００２】
【従来の技術】
従来のこの種の遠隔制御装置は、所望の電子機器に対してコマンドを出力するとき、まずこのような電子機器との間でプロトコルを確立する。そして、プロトコルが確立された後にコマンドを与える。したがって、オペレータがコマンドを入力してからこのコマンドが実際に所望の電子機器に入力されるまでに、少なからず時間がかかる。
【０００３】
【発明が解決しようとする課題】
このような遅延は、それぞれの電子機器に設けられた時計を調整するときに特に問題となる。つまり、たとえば時間が３分程度進んでいる時計を、時刻が正午（１２時００分００秒）になった時点でリセットしようとする場合、リセットされた時計は実際の時刻から少なからず遅れてしまう。
【０００４】
また、バスが他の機器同士の通信に使用されているときも、正しい時に所望のコマンドを送出できないという問題があった。
それゆえに、この発明の主たる目的は、コマンドが入力されてからこのコマンドが所望の電子機器に与えられるまでの時間を短縮することができる、遠隔制御装置およびそれに制御される電子機器ならびにその制御方法を提供することである。
【０００５】
【課題を解決するための手段】
第１の発明は、時計回路を備える電子機器を遠隔制御する遠隔制御装置において、時計回路が示す時刻のリセット操作を行うためのリセットモードの選択を受け付ける受付手段、リセットモードの選択に応答して電子機器とプロトコルを確立する確立手段、時計回路が示す時刻のリセットを要求するリセットコマンドをリセット操作に応答して電子機器に送信するリセットコマンド送信手段、および確立手段によるプロトコルの確立からリセット操作までの期間にプロトコルの維持を要求する維持コマンドを電子機器に繰り返し送信する維持コマンド送信手段を備えることを特徴とする、遠隔制御装置である。
【０００６】
第２の発明は、時計回路を備える電子機器を遠隔制御する制御方法であって、  (a) 時計回路が示す時刻のリセット操作を行うためのリセットモードが選択されたときに電子機器とプロトコルを確立し、(b) 時計回路が示す時刻のリセットを要求するリセットコマンドをリセット操作に応答して電子機器に送信し、そして (c) プロトコルの確立からリセット操作までの期間にプロトコルの維持を要求する維持コマンドを電子機器に繰り返し送信する、電子機器の制御方法である。
【０００８】
【作用】
第１の発明では、遠隔制御装置は複数の電子機器を遠隔制御する。指示手段はプロトコルの確立を指示する。確立手段は、指示手段の指示に応答して所望の電子機器との間でプロトコルを確立する。入力手段は所定コマンドを入力し、所定コマンド出力手段は所定コマンドを所望の電子機器に出力する。つまり、遠隔制御装置は、プロトコルが確立した状態で、所定コマンドを所望の電子機器に出力する。
【０００９】
この発明の或る実施例では、遠隔制御装置は維持コマンド手段をさらに備え、維持コマンド出力手段は維持コマンドを所望の電子機器に出力する。したがって、遠隔制御装置と所望の電子機器との間のプロトコルの確立状態を維持することができる。
この発明の他の実施例では、所望の機器は時計回路を有し、所定コマンドは時計回路をリセットするリセットコマンドである。つまり、遠隔制御装置は、プロトコルが確立した状態で、リセットコマンドを所望の電子機器に出力する。
【００１０】
この発明のその他の実施例では、確立手段は確定手段および準備手段を含み、確定手段は所望の電子機器を確定し、準備手段は所望の電子機器に所望のコマンドを送信する準備をする。確立手段は、準備が終わるとプロトコルを確立する。この発明のさらに他の実施例では、確定手段は第１出力手段および第１受信手段を含み、準備手段は第２出力手段および第２受信手段を含む。第１出力手段は、遠隔制御装置を特定する属性情報を示す第１特定信号と所望の電子機器を特定する属性情報を示す第２特定信号とを所望の電子機器に出力する。このようにして、遠隔制御装置は所望の電子機器を確定し、所望の電子機器は自分が指示されていることを認識することができる。
【００１１】
第１受信手段は、第１出力手段の出力に応じて所望の電子機器から送信される第１受信確認信号を受信する。第２出力手段は、第１受信確認信号に応答して所望の電子機器に送信開始信号を出力する。第２受信手段は、送信開始信号に応答して所望の電子機器から送信される第２受信確認信号を受信する。このようにして、遠隔制御装置と電子機器との間での信号の受け渡しの準備ができる。
【００１５】
【発明の効果】
この発明によれば、予めプロトコルが確立した状態でコマンドを入力するので、コマンド送出しようとするときにバスが使用できずコマンドを送出できないということがなく、またコマンドが入力されてからこのコマンドが所望の電子機器に与えられるまでの時間を短縮することができる。
【００１６】
また、電子機器においては、プロトコルの確立の指示を受信してからプロトコルが確立するまでの時間でリセット後の時計回路を補正するので、正確に時計回路をリセットすることができる。
この発明の上述の目的，その他の目的，特徴および利点は、図面を参照して行う以下の実施例の詳細な説明から一層明らかとなろう。
【００１７】
【実施例】
図１を参照して、この実施例の映像記録システム１０は、遠隔制御装置１２を含む。遠隔制御装置１２は、ＲＳ−４８５のようなバス１４によって、複数のカメラ１６ａ〜１６ｍ，複数のマルチプレクサ１８ａ〜１８ｃならびに複数のタイムラプスＶＣＲ２０ａ〜２０ｃと接続される。これらのカメラ１６ａ〜１６ｍ，マルチプレクサ１８ａ〜１８ｃおよびタイムラプスＶＣＲ２０ａ〜２０ｃは、遠隔制御装置１２によって制御される。
【００１８】
カメラ１６ａ，１６ｄ，１６ｇおよび１６ｊから出力された映像信号はマルチプレクサ１８ａに入力され、マルチプレクサ１８ａによってそれぞれの映像信号が時分割多重される。時分割多重された映像信号はタイムラプスＶＣＲ２０ａによって図示しないビデオテープに記録される。カメラ１６ａ〜１６ｊから出力されたそれぞれの映像信号は、間欠的にビデオテープに記録される。
【００１９】
カメラ１６ｂ，１６ｅおよび１６ｈから出力された映像信号は、マルチプレクサ１８ｂによって時分割多重される。そして、マルチプレクサ１８ｂの出力がタイムラプスＶＣＲ２０ｂによってビデオテープに記録される。カメラ１６ｃ，１６ｆ，１６ｉ，１６ｋおよび１６ｍから出力された映像信号は、マルチプレクサ１８ｃによって時分割多重され、タイムラプスＶＣＲ２０ｃは、マルチプレクサ１８ｃの出力をビデオテープに記録する。
【００２０】
このように、カメラ１６ａ〜１６ｍによって撮影された映像信号が、所定のタイムラプスＶＣＲ２０ａ〜２０ｃによって間欠記録される。
カメラ１６ａ〜１６ｍには、アドレス“０００”〜“０１１”を示す８ビットデータ“００００００００”〜“００００１０１１”が予め割り当てられる。マルチプレクサ１８ａ〜１８ｃには、アドレス“０００”〜“００２”を示す８ビットデータ“００００００００”〜“００００００１０”が予め割り当てられる。ＶＣＲ２０ａ〜２０ｃには、アドレス“０００”〜“００２”を示す８ビットデータ“００００００００”〜“００００００１０”が予め割り当てられる。また、カメラ１６ａ〜１６ｍには共通のカテゴリコード“０１００”が割り当てられ、マルチプレクサ１８ａ〜１８ｃには共通のカテゴリコード“００１０”が割り当てられ、そしてＶＣＲ２０ａ〜２０ｃには共通のカテゴリコード“００１１”が予め割り当てられる。なお、遠隔制御装置１２にもアドレス“０００”を示す８ビットデータ“００００００００”ならびにカテゴリコード“０００１”が予め割り当てられる。
【００２１】
図２に示すように、遠隔制御装置１２には各種キー１２ａ〜１２ｎとＬＣＤ１２ｐとが設けられる。オペレータが各種キー１２ａ〜１２ｎを操作することによって所望の電子機器が制御される。つまり、モードキー１２ａによって所望のカテゴリを指定し、テンキー１２ｋによって所望のアドレスを指定し、その後コマンドキー１２ｂ〜１２ｊのいずれかが操作される。たとえば、カメラを示すカテゴリとアドレス“００３”を入力し、コマンドキー１２ｃを操作すれば、カメラ１６ｄにカメラモード１（たとえば夜間撮影モード）が設定される。また、コマンドキー１２ｄが操作されれば、カメラ１６ｄにカメラモード２（たとえば昼間撮影モード）が設定される。
【００２２】
また、ＶＣＲのカテゴリとアドレス“０００”とを入力し、コマンドキー１２ｆを操作すれば、ＶＣＲ２０ａのみが映像信号の記録を開始する。コマンドキー１２ｅが操作されると、ＶＣＲ２０ａ内のビデオテープが取り出され、コマンドキー１２ｇが操作されると、ＶＣＲ２０ａ内のビデオテープが巻き戻される。さらに、コマンドキー１２ｈが操作されると、ＶＣＲ２０ａの動作は停止され、コマンドキー１２ｉが操作されると、ＶＣＲ２０ａの電源はオンされ、コマンドキー１２ｊが操作されると、ＶＣＲ２０ａの電源はオフされる。
【００２３】
図３に示すように、遠隔制御装置１２の電源がオンされると、ＬＣＤ１２ｑには“ＣＡＭ： ”が表示される。遠隔制御装置１２はモードキー１２ａおよびセットキー１２ｎの操作を判別し、モードキー１２ａが操作されたときは、図３に示すように“ＣＡＭ”→“ＭＰＸ”→“ＶＣＲ”→“ＣＡＭ”の順でカテゴリの表示が変更される。また、テンキー１２ｋが操作されたときは、アドレスがアドレス入力欄（図中の下線部）に表示される。所望のカテゴリおよび所望のアドレスがＬＣＤ１２ｐに表示されたときに、オペレータがセットキー１２ｎを操作すれば、遠隔制御装置１２は所望の電子機器を決定する。続いて、コマンドキー１２ｂ〜１２ｊのいずれかが操作されると、操作されたキーに対応した指示が決定された電子機器に送信される。なお、電子機器の決定やアドレスの入力を間違えた場合にはクリアキー１２ｍを操作すると、入力をやり直すことができる。
【００２４】
このように、モードキー１２ａおよびテンキー１２ｋの操作によって所望のカテゴリおよびアドレスが指定され、その後のコマンド入力によって所望の電子機器が制御される。
さらに、遠隔制御装置１２ではモードキー１２ａが操作され、時計回路のリセットモードが選択される。リセットモードが選択されると、リセットキー１２ｂの指示に従って所望の電子機器の時計回路はリセットされる。たとえば、３分程度進んだ時計回路をリセットキー１２ｂを操作することにより、正午（１２時００分００秒）にリセットすることができる。リセットモードが設定されると、タイムオーバーによりバス１４の通信エラーが発生する前に、プロトコル確立を維持する維持コマンドが電子機器に対して送信される。つまり、遠隔制御装置１２にはタイマ１２ｒが設けられており、バス１４の開放時間はタイマ１２ｒによりカウントされる。リセットモードでは、タイマ１２ｒがタイムアップする前に維持コマンドが電子機器に送信される。したがって、遠隔制御装置１２と所望の電子機器との間でプロトコルの確立状態が維持される。そして、電子機器でリセットコマンドが実行されると、プロトコルの確立状態は解除される。
【００２５】
上述のような動作を、遠隔制御装置１２は図４および図５に示すフロー図に従って処理する。リセットコマンドの送信モードが選択されると処理を開始し、バス１４が開放されているかどうかを判断する。ここで、“ＮＯ”であれば、ステップＳ１に戻るが、“ＹＥＳ”であれば、ステップＳ３およびＳ５のそれぞれで、送信元のカテゴリコードを含む第１バイトデータおよびアドレスデータを含む第２バイトデータを出力する。続くステップＳ７で、入力されたアドレスデータを自分のアドレスと比較する。ここで、両アドレスが一致しなければエラーが発生したと判断し、つまりステップＳ７で“ＮＯ”であれば、ステップＳ１９でエラーフラグ１２ｑをセットしてリターンする。一方、両アドレスが一致すれば、つまりステップＳ７で“ＹＥＳ”であれば、ステップＳ９およびＳ１１のそれぞれで送信先のカテゴリコードをアドレスデータを出力する。つまり、送信先がカメラ１６ｇであれば、ステップＳ９で“１１１１０１００”の第１バイトデータを出力し、ステップＳ１１で“０００００１１０”の第２バイトデータを出力する。
【００２６】
ステップＳ１３では送信先から受信確認コードが入力されたかどうかを判断する。所定時間経過しても受信確認コードが入力されなければ、ステップＳ１３で“ＮＯ”と判断し、ステップＳ１９に進む。一方、所定時間内に受信確認コードが入力されれば、ステップＳ１５で送信開始コードを送信先に出力する。ステップＳ１７では、送信先から“ＡＣＫ”が入力されたかどうかを判断する。ここでも、所定時間内に“ＡＣＫ”が入力されなければ“ＮＯ”と判断し、所定時間内に“ＡＣＫ”が入力されれば“ＹＥＳ”と判断する。“ＮＯ”のときにはステップＳ１９に進み、“ＹＥＳ”のときには、つまりプロトコルが確立されると、ステップＳ２１でバス継続コマンドを出力する。続くステップＳ２３では、ステップＳ１７と同様に“ＡＣＫ”が入力されたかどうかを判断する。ここで、“ＹＥＳ”であれば、ステップＳ２７に進むが、“ＮＯ”であれば、ステップＳ２５で所定時間が経過したかどうかを判断する。ステップＳ２５で“ＹＥＳ”であれば、ステップＳ１９に進むが、“ＮＯ”であれば、ステップＳ２３に戻る。ステップＳ２７ではリセットコマンドが実行されたかどうかを判断する。ここで、“ＮＯ”であれば、ステップＳ２１に戻るが、“ＹＥＳ”であれば、ステップＳ２９でリセットコマンドを出力する。続くステップＳ３１では、ステップＳ１７同様に“ＡＣＫ”が入力されたかどうかを判断する。ここで、“ＹＥＳ”であれば、処理を終了するが、“ＮＯ”であれば、ステップＳ３３で所定時間が経過したかどうかを判断する。ここで、“ＮＯ”であればステップＳ３１に戻るが、“ＹＥＳ”であればステップＳ１９に進む。なお、ステップＳ２１，Ｓ２３およびＳ２７で形成されるループでは、タイマ１２ｒがタイムアップする前にＳ２１でバス継続コマンドが出力される。
【００２７】
この実施例によれば、所望の電子機器とプロトコルを確立し、確立状態を維持するので、コマンドが入力されてからこのコマンドが所望の電子機器に与えられるまでの時間を短縮することができる。
なお、この実施例では、所望の１つの電子機器との間でプロトコルを確立し、リセットコマンドを入力するようにしたが、所望の電子機器は２以上であってもよい。この場合には、遠隔制御装置１２によって２以上の電子機器とプロトコルを確立し、プロトコルを確立した２以上の電子機器のすべてに一度にリセットコマンドが入力される。
【００２８】
この発明の他の実施例では、電子機器側でプロトコルが確立するまでの時間を補正する。つまり、遠隔制御装置１２はオペレータの指示に従ってプロトコルの確立の指示およびリセットコマンドを送信するだけである。
それぞれの電子機器（カメラ１６ａ〜１６ｍ、ＭＰＸ１８ａ〜１８ｃおよびＶＣＲ２０ａ〜２０ｃ）には、図６に示すように時計回路３０およびカウンタ３２が設けられる。なお、図面上では簡単のため、カメラ１６ａについてのみ示してある。時計回路３０は、たとえば表示装置（図示せず）によって現時刻をオペレータに知らせるために利用される。カウンタ３２は、リセットモードのときマイコン３４によって能動化され、遠隔制御装置１２からのプロトコルの確立の指示を受信してからプロトコルが確立するまでの時間をカウントする。リセットコマンドが実行され、時計回路３０がリセットされると、時計回路３０はマイコン３４の指示に従ってカウンタ３２のカウント値で補正される。つまり、プロトコルの確立の指示を受信してからプロトコルが確立するまでの時間（この実施例では、約０．５秒）は補正される。
【００２９】
上述のような動作を、マイコン３４は図７および図８に示すフロー図に従って処理する。図７に示すように、遠隔制御装置１２によってリセットモードが設定され、かつプロトコルの確立の指示を受信すると処理を開始し、ステップＳ４１で第１バイトデータおよび第２バイトデータを受信したかどうかを判断する。つまり、自分のアドレスかどうかを認識する。ステップＳ４１で“ＮＯ”であれば、ステップＳ４１に戻るが、“ＹＥＳ”であれば、ステップＳ４３でカウンタをリセットおよびスタートする。続いて、ステップＳ４５では受信確認コードを送信し、ステップＳ４７では送信開始コードを受信したかどうかを判断する。ここで、“ＮＯ”であれば、ステップＳ５９で受信エラーのフラグをセットし、処理を終了するが、“ＹＥＳ”であれば、ステップＳ４９で“ＡＣＫ”を出力する。ステップＳ５１では、データを受信したかどうかを判断し、“ＮＯ”であれば、ステップＳ５７に進むが、“ＹＥＳ”であれば、ステップＳ５３で“ＡＣＫ”を出力する。続くステップＳ５５では、受信データ処理を実行し、ステップＳ５７に進む。ステップＳ５７では、通信が終了したかまたは規定時間内に通信がない（タイムオーバー）かどうかを判断する。ここで、“ＮＯ”であれば、ステップＳ５１に戻るが、“ＹＥＳ”であれば、処理を終了する。
【００３０】
図８に示すように、受信データ処理が実行されると、ステップＳ６１でリセットコマンドを受信したかどうかを判断する。ここで、“ＮＯ”であれば、ステップＳ６７で他の処理を実行し、リターンするが、“ＹＥＳ”であれば、ステップＳ６３で時計回路３０をリセットし、ステップＳ６５でカウント値を時計データに加算し、リターンする。
【００３１】
他の実施例によれば、プロトコルの確立の指示を受信してからプロトコルが確立するまでの時間でリセット後の時計回路を補正するので、正確に時計回路をリセットすることができる。
図１では遠隔制御装置１２と各電子機器との接続を簡単に示したが、図９に示すように遠隔制御装置１２の背面は形成される。つまり、各電子機器にはバス１４（ＲＳ−４８５）の接続に用いられる接続ケーブル（ＲＪ−１１）を接続するための端子Ａおよび端子Ｂが設けられる。端子Ａおよび端子Ｂは、図１０（Ａ）のように形成される。接続ケーブルはたとえば６芯のケーブルであり、図１０（Ｂ）に示すように、ストレートタイプのものとクロスタイプのものとがある。ストレートタイプのものを使用する場合には、各電子機器と端子Ａ同士または端子Ｂ同士を接続し、クロスタイプのものを使用する場合には、端子Ａと端子Ｂを接続する。つまり、各番号（１〜６）に対応するピンが互いに接続されるような接続ケーブルが用いられる。したがって、遠隔制御装置１２と各電子機器との接続および電子機器と電子機器との接続には、いずれのタイプの接続ケーブルを用いることもできる。
【図面の簡単な説明】
【図１】この発明の一実施例を示す図解図である。
【図２】図１実施例に示す遠隔制御装置を示す図解図である。
【図３】図１実施例に示すＬＣＤに表示されるキャラクタを示す図解図である。
【図４】図１実施例に示す遠隔制御装置の処理の一部を示すフロー図である。
【図５】図１実施例に示す遠隔制御装置の処理の一部を示すフロー図である。
【図６】この発明の他の実施例を示す図解図である。
【図７】図１実施例に示す各電子機器の処理の一部を示すフロー図である。
【図８】図１実施例に示す各電子機器の処理の一部を示すフロー図である。
【図９】図１実施例に示す遠隔制御装置の背面を示す図解図である。
【図１０】（Ａ）は遠隔制御装置の背面に設けられた端子を示す図解図であり、（Ｂ）は接続ケーブルの種類を示す図解図である。
【符号の説明】
１０  …映像記録システム
１２  …遠隔制御装置
１４  …バス
１６ａ〜１６ｍ  …カメラ
１８ａ〜１８ｃ  …ＭＰＸ
２０ａ〜２０ｃ  …ＶＣＲ
【図１】
0003685635.tif 000002
【図２】
0003685635.tif 000003
【図３】
0003685635.tif 000004
【図４】
0003685635.tif 000005
【図５】
0003685635.tif 000006
【図６】
0003685635.tif 000007
【図７】
0003685635.tif 000008
【図８】
0003685635.tif 000009
【図９】
0003685635.tif 000010
【図１０】
0003685635.tif 000011